(57)【要約】【課題】上扉体内面の清掃が容易で、メンテナンス性に優れた食器洗い機を提供する。【解決手段】前面に前面開口部９を有し本体７内に設けた洗浄槽８と、前面開口部９の上部を開閉自在に覆う上扉体１０と、前面開口部９の下部を開閉自在に覆う下扉体１１と、上扉体１０を本体７の上方へ移動可能に支持する第１の動作規制部１８と、一端が下扉体１１に、他端が第２の連結部３１を介して第１の動作規制部１８にそれぞれ回転自在に連結され、上扉体１０と下扉体１１の動作を連動させる連動部３０とを備え、第２の連結部３１を、第１の動作規制部１８に設けた第１の回転軸３９と、連動部３０に設けた長穴３８で形成して、上扉体１０が開放する方向に遊びを設けたもので、下扉体１１を閉成位置近傍に固定した状態で、上扉体１０だけを遊びの分開放側へ移動できるので、上扉体１０の内面の清掃を容易にすることができる。【選択図】図１
2006181009.tif 000002
【特許請求の範囲】
【請求項１】
本体と、前面に前面開口部を有し前記本体内に設けた洗浄槽と、前記前面開口部の上部を開閉自在に覆う上扉体と、前記前面開口部の下部を開閉自在に覆う下扉体と、前記上扉体を前記本体の上方へ移動可能に支持する動作規制手段と、一端が前記下扉体に、他端が前記動作規制手段にそれぞれ回転自在に連結され、前記上扉体と前記下扉体の動作を連動させる連動部とを備え、前記連動部と前記動作規制手段との連結部に、上扉体が開放する方向に遊びを設けた食器洗い機。
【請求項２】
連結部を、上扉体が閉塞する方向に弾性的に付勢した請求項１に記載の食器洗い機。
【請求項３】
連結部をハートカム機構とした請求項１又は２に記載の食器洗い機。
【発明の詳細な説明】
【技術分野】
【０００１】
本発明は、食器等を洗浄する食器洗い機の扉開閉機構に関するものである。
【背景技術】
【０００２】
従来この種の食器洗い機は、図４に示すように構成されていた（例えば、特許文献１参照）。
【０００３】
以下、その構成について説明する。食器洗い機は、食器等の被洗浄物（図示せず）を洗浄槽１に収納し、洗浄槽１に設けた前面開口部１ａを上扉体２と下扉体３により閉塞してから、洗浄ポンプ（図示せず）を運転し、洗浄水を噴射することにより、被洗浄物の洗浄およびすすぎ工程を行うようになっていた。下扉体３は、前面開口部１ａに対して閉成状態を保持するロック手段３ａと、使用者が下扉体３の開閉操作を行う取っ手部３ｂを有し、回転支点４で前面開口部１ａの前下方に回転開閉する構成となっている。
【０００４】
一方、上扉体２は、回転支点５で回転支持され、本体の上方空間に開成することで、上扉体２の開閉に必要な高さを小さく抑え、高さの小さい場所にでも、設置できるようにすると同時に、上扉体２の開成状態における上扉体２の前面開口部１ａより前方への突出長さをできるだけ小さくし、被洗浄物の出し入れ等に支障がないように構成されていた。
【０００５】
さらに、連動部６により下扉体３と上扉体２の動作を連動させることで、使用者は、取っ手部３ｂを持って、下扉体３を開閉させるだけで、上扉体２の開閉もでき、使い勝手のよい食器洗い機を実現していた。
【特許文献１】特開２００２−２７２６６０号公報
【発明の開示】
【発明が解決しようとする課題】
【０００６】
しかしながら、上記従来の食器洗い機では、上扉体２が本体上方に開成する構成となっているため、上扉体２の内面を清掃するには、上扉体２が本体上方に移動する前の上扉体２の開放初期段階で上、下扉体２、３の間から手を入れるか、もしくは、上、下扉体２、３の開成状態で本体上面と上扉体２の間から手を入れる必要があり、非常に狭い空間に手を入れなければならず、清掃し難いという課題を有していた。
【０００７】
本発明は、上記従来の課題を解決し、上扉体の内面の清掃が容易で、メンテナンス性に優れた食器洗い機を提供することを目的とする。
【課題を解決するための手段】
【０００８】
前記従来の課題を解決するために、本発明の食器洗い機は、本体と、前面に前面開口部を有し前記本体内に設けた洗浄槽と、前記前面開口部の上部を開閉自在に覆う上扉体と、前記前面開口部の下部を開閉自在に覆う下扉体と、前記上扉体を前記本体の上方へ移動可能に支持する動作規制手段と、一端が前記下扉体に、他端が前記動作規制手段にそれぞれ回転自在に連結され、前記上扉体と前記下扉体の動作を連動させる連動部とを備え、前記連動部と前記動作規制手段との連結部に、上扉体が開放する方向に遊びを設けたもので、下扉体を閉成位置近傍に固定した状態で、上扉体だけを上記遊びの分だけ開放側へ移動させることができるので、上、下扉体間の隙間を大きくすることができ、上扉体の内面の清掃が容易になる。
【発明の効果】
【０００９】
本発明の食器洗い機は、上、下扉体間の隙間を使用者が任意に大きくできるので、上扉体内面を清掃するのに隙間から容易に手を入れることが可能となり、メンテナンス性の良いものである。
【発明を実施するための最良の形態】
【００１０】
第１の発明は、本体と、前面に前面開口部を有し前記本体内に設けた洗浄槽と、前記前面開口部の上部を開閉自在に覆う上扉体と、前記前面開口部の下部を開閉自在に覆う下扉体と、前記上扉体を前記本体の上方へ移動可能に支持する動作規制手段と、一端が前記下扉体に、他端が前記動作規制手段にそれぞれ回転自在に連結され、前記上扉体と前記下扉体の動作を連動させる連動部とを備え、前記連動部と前記動作規制手段との連結部に、上扉体が開放する方向に遊びを設けたもので、下扉体を閉成位置近傍に固定した状態で、上扉体だけを上記遊びの分だけ開放側へ移動させることができるので、上、下扉体間の隙間を大きくすることができ、上扉体の内面の清掃が容易になる。
【００１１】
第２の発明は、特に、第１の発明の連結部を、上扉体が閉塞する方向に弾性的に付勢したもので、連結部に設けた遊びによる動作規制手段のガタツキを防止でき、上扉体の所定軌跡での安定した開閉動作を実現できる。
【００１２】
第３の発明は、特に、第１又は第２の発明の連結部をハートカム機構としたもので、上扉体を一度開放側へ移動させると、上扉体をその位置で保持することができ、使用者は上扉体清掃時に上扉体を開放側へ保持しつづける必要がなく、また、上扉体をもう一度開放側へ移動させると所定位置に戻すことができ、メンテナンス性をさらに向上させることができる。
【００１３】
以下、本発明の実施の形態について図面を参照しながら説明する。なお、本実施の形態によって本発明が限定されるものではない。
【００１４】
（実施の形態１）
図１は、本発明の第１の実施の形態における食器洗い機の側壁部断面図、図２は、同食器洗い機の要部断面図である。
【００１５】
図１、２において、食器洗い機本体７（以下「本体７」という）の内部に洗浄槽８が設けられており、この洗浄槽８の前面開口部９の上部、下部のそれぞれを上扉体１０と下扉体１１により開閉するよう構成している。洗浄槽８内部には、食器類などの被洗浄物（図示せず）をセットする食器かご（図示せず）が収納されている。上扉体１０をスライド自在に支持するスライド支持部１２は、一端が洗浄槽８の側壁上部に第１の回転支点１３を中心に回転自在に支持され、他端が上扉体１０に設けたスライド溝部１４に２点のスライド係合部１５によりスライド自在に支持されている。
【００１６】
スライド溝部１４の溝幅は、上扉体１０の閉成状態でスライド係合部１５が係合する近傍だけ他の範囲より狭くなっており、上扉体１０の閉成状態でのスライド溝部１４とスライド係合部１５の隙間は、加工誤差、組立て誤差を考慮した時に両部品が突っ張って、開閉動作がロックすることのない必要最小限の設定となっている。スライド溝部１４の他の範囲は、スライド係合部１５の摺動に影響がでないよう十分な幅が確保されている。またスライド係合部１５には回転自在なローラー部１６が設けられており、スライド係合部１５のスライド溝部１４内の摺動をスムーズにしている。
【００１７】
また、上扉体１０を一意的な所定軌跡で開閉移動させるための動作規制手段として、夫々の一端同士を第１の連結部１７で回転自在に連結した第１の動作規制部１８と第２の動作規制部１９が設けられており、第１の動作規制部１８の他端は、洗浄槽８の側壁に設けた第２の回転支点２０で回転自在に支持され、第２の動作規制部１９の他端は、上扉体１０の下端に設けた固定点２１に固定されている。
【００１８】
第１の動作規制部１８、第２の動作規制部１９が食器洗い機本体７前面の側部から外部に出入りする部分には動作規制部収納口２２が設けられている。また、第１の動作規制部１８は、上扉体１０の開成状態で、下方向に凸となる略Ｖ字形状となっており、同じく上扉体１０の開成状態で動作規制収納口２２と当接する第１のリブ２３が設けられている。
【００１９】
下扉体１１は、洗浄槽８の前面開口部９の下端部近傍で、第３の回転支点２４により回転自在に支持された下支持部２５に固定されており、前面開口部９の前下方にその内面が上向き水平となる位置まで開放する。下扉体１１には押しボタンスイッチ２６と、下扉体１１を閉成状態に固定するロック手段２７を設け、押しボタンスイッチ２６と連動して、洗浄槽８側壁に設けた係止部２８からロック手段２７を解除できるようにしている。上扉体１０および下扉体１１と前面開口部９のシール、および上扉体１０、下扉体１１間のシールを行うために、前面開口部９と上扉体１０には弾性体で形成されたシール部材２９が設けられている。
【００２０】
また、連動部３０の一端を、第１の動作規制部１８と連結部となる第２の連結部３１で回転自在に連結し、他端を下支持部２５と第３の連結部３２で回転自在に連結することで、上扉体１０と下扉体１１が連動して開閉する構成となっている。さらに連動部３０に設けた第１の保持部３３と洗浄槽８の側壁に設けた第２の保持部３４を第１のスプリング３５（引張りコイルバネ）で連結し、上、下扉体１０、１１が開放する方向に弾性的に付勢するよう構成されている。連動部３０の食器洗い機本体７外部に露出する部分には、保護部材３６が設けられている。また、洗浄槽８の側壁には、連動部３０と当接して扉体１０、１１の開成状態を維持するストッパー部３７が設けられている。
【００２１】
また、図２に示すように、第２の連結部３１は、連動部３０に設けた長穴３８と第１の動作規制部１８に設けた第１の回転軸３９とで構成されている。なお、長穴３８は第１の回転軸３９に対して上扉体１０が開放する方向に遊びを有する形状となっており、第１の回転軸３９は第２のスプリング４０（ねじりコイルバネ）により長穴３８に対して上扉体１０が閉塞する方向に付勢されている。
【００２２】
以上のように構成された食器洗い機についてその動作、作用を説明する。押しボタンスイッチ２６を押すと、ロック手段２７が解除され、第１のスプリング３５による上、下扉体１０、１１の開放側へ付勢された連動部３０により、上扉体１０と下扉体１１は連動して閉成状態から、連動部３０がストッパー部３７と当接する開成状態まで自動的に開放することができる。
【００２３】
上、下扉体１０、１１の開放動作の詳細は以下の通りである。
【００２４】
下扉体１１の開放動作は、洗浄槽８の下端を中心に前下方に回転し、その内面が上向き水平となる位置まで回転する。上扉体１０は、一端側が洗浄槽８の側壁に回転支持され、他端側で上扉体１０のスライド溝部１４をスライド支持しているスライド支持部１２により、回転とスライドが組み合わさった軌跡で移動する。これにより、図４の従来のように単純に支持部材により回転支持されている場合と比べて、移動軌跡の自由度が高くなっている。ただし、このスライド支持部１２だけでは、上扉体１０の回動軌跡は一意的に決まらず、自在に移動してしまい、本体７の上面等に衝突するなどの恐れがある。そこで第１の動作規制部１８と第２の動作規制部１９により上扉体１０の移動軌跡を一意的に規制している。
【００２５】
これによって、上扉体１０を本体７の外殻形状に沿うように本体７の上方に移動させることが可能となり、上扉体１０の開閉に必要な設置高さを従来より低く抑えた設置性のよい食器洗い機を実現できる。また、完全に開成した状態で、上扉体１０の前面開口部９より前方に出た突出長さも小さくできるため、洗浄槽８内が見やすく、食器等の出し入れにも邪魔にならない使い勝手のよい食器洗い機を実現できる。
【００２６】
上、下扉体１０、１１の開成状態においては、動作規制部収納口２２が第１の動作規制部１８に設けられた第１のリブ２３と当接することで、上扉体１０が食器洗い機本体７の上面でぐらつくことがなく、食器洗い機の品位を損ねる事がない。
【００２７】
上、下扉体１０、１１の開放後、下扉体１１に食器かごを引出し、被洗浄物をセットする。ここで、食器かごを下扉体１１内面上に引出す構成をとっているので、被洗浄物からの垂れた汁、水滴が機外へ流出するのを防止することができる。
【００２８】
続いて、食器かごを洗浄槽８内に収納し、下扉体１１を閉塞する。上扉体１０と下扉体１１は連動部３０により連動して開閉する構成となっているので、上扉体１０も同時に閉塞される。
【００２９】
スライド溝部１４とスライド係合部１５の隙間は、上扉体１０の閉成時だけ狭く設定されているため、扉体閉成時には上扉体１０とスライド支持部１２のガタツキを最小限に抑え、開閉途中にはスライド溝部１４とスライド係合部１５がスムーズに摺動する安定した扉体開閉動作を実現している。また、スライド係合部１５にローラー部１６を設けることで、スライド溝部１４とスライド係合部１５の摺動抵抗はさらに低減でき、より安定した扉体開閉動作を実現できる。
【００３０】
また、図２（ｂ）に示すように、上扉体１０が本体７の上方へ移動する前の上扉体１０の開放初期段階で下扉体１１を固定し、上扉体１０だけを開放方向に移動させることで、上扉体１０と下扉体１１の隙間を大きくすることができ、上扉体１０内面の清掃を容易に行うことが可能となる。使用者が意図的に上扉体１０だけを開放させない時は、第２のスプリング４０により付勢されることで、第１の回転軸３９は、図２（ａ）に示すように所定位置に保持されており、扉体１０、１１の安定した開閉動作を実現できる。
【００３１】
（実施の形態２）
図３は、本発明の第２の実施の形態における食器洗い機の要部断面図である。なお、上記第１の実施の形態と同一部分については、同一符号を付してその説明を省略する。
【００３２】
本実施の形態は、第１の実施の形態における第２の連結部３１をハートカム機構としたもので、具体的には、第２の連結部３１は、連動部３０に設けた第２の回転軸４１と、第１の動作規制部１８に設けたハート状のカム溝４２とで構成されている。また、第２の回転軸４１は第３のスプリング４３（ねじりコイルバネ）により付勢されており、図３（ａ）に示す所定位置に保持されている。
【００３３】
上扉体１０が本体７の上方へ移動する前の上扉体１０の開放初期段階で下扉体１１を固定し、上扉体１０だけを開放方向に移動させることで、第２の回転軸４１はカム溝４２内を移動し、図３（ｂ）に示すように、上扉体１０と下扉体１１の隙間を大きくした状態で保持することができ、使用者は上扉体１０を保持しつづける必要がなく、上扉体１０の内面の清掃をより容易に行うことができる。
【００３４】
さらに、図３（ｂ）の状態で、上扉体１０を再度開放方向に移動させることで、第２の回転軸４１はカム溝４２内を移動し、図３（ａ）に示す所定位置に戻すことができる。また、使用者が意図的に、上扉体１０だけを開放させない時は、第３のスプリング４３により付勢されているので、第２の回転軸４１は、図３（ａ）に示すように所定位置に保持されており、上、下扉体１０、１１の安定した開閉動作を実現できる。
【００３５】
なお、上述した上、下扉体１０、１１の開閉リンク機構は、洗浄槽８、及び上、下扉体１０、１１の左右両側に設けられている。
【産業上の利用可能性】
【００３６】
以上のように、本発明にかかる食器洗い機は、設置性と使い勝手の良い扉体開閉動作を行う事ができると共に、上扉体の内面のメンテナンスが極めて容易なもので、食器洗い機に限らず扉体を使用する洗濯機、洗浄機、調理機器など各種機器に適用できる。
【図面の簡単な説明】
【００３７】
【図１】本発明の第１の実施の形態における食器洗い機の側壁部断面図
【図２】（ａ）同食器洗い機の上扉体の通常開閉時の要部断面図（ｂ）同食器洗い機の上扉体の内面清掃時の要部断面図
【図３】（ａ）本発明の実施の形態２における食器洗い機の上扉体の通常開閉時の要部断面図（ｂ）同食器洗い機の上扉体の内面清掃時の要部断面図
【図４】従来の食器洗い機の側壁部の主要断面図
【符号の説明】
【００３８】
７  食器洗い機本体（本体）
８  洗浄槽
９  前面開口部
１０  上扉体
１１  下扉体
１８  第１の動作規制部（動作規制手段）
３０  連動部
３１  第２の連結部（連結部）
３８  長穴
３９  第１の回転軸
【図１】
2006181009.tif 000003
【図２】
2006181009.tif 000004
【図３】
2006181009.tif 000005
【図４】
2006181009.tif 000006